(57)【特許請求の範囲】
【請求項１】
排水をポンプによって中和槽に流入させ、該中和槽のｐＨを検出し、検出ｐＨが目標ｐＨとなるようにＰＩＤ制御によって該中和槽へのｐＨ調整剤（酸又はアルカリ）添加手段からのｐＨ調整剤添加量を制御する中和槽内のｐＨ制御方法において、
前記ポンプが作動しており、前記中和槽のｐＨが目標ｐＨよりも高く、かつそれまでアルカリを添加している場合のｐＨ制御方法であって、
ＰＩＤ制御による添加指示量が、予め設定した基準値よりも高い場合には、アルカリ添加を継続し、
該基準値よりも低い場合には酸を添加することを特徴とする中和槽内のｐＨ制御方法。
【請求項２】
排水をポンプによって中和槽に流入させ、該中和槽のｐＨを検出し、検出ｐＨが目標ｐＨとなるようにＰＩＤ制御によって該中和槽へのｐＨ調整剤（酸又はアルカリ）添加手段からのｐＨ調整剤添加量を制御する中和槽内のｐＨ制御方法において、
前記ポンプが作動しており、前記中和槽のｐＨが目標ｐＨよりも低く、かつそれまでアルカリを添加している場合のｐＨ制御方法であって、
ＰＩＤ制御による添加指示量が、予め設定した基準値よりも高い場合及び該基準値よりも低い場合のいずれの場合も、アルカリ添加を継続することを特徴とする中和槽内のｐＨ制御方法。
【請求項３】
排水をポンプによって中和槽に流入させ、該中和槽のｐＨを検出し、検出ｐＨが目標ｐＨとなるようにＰＩＤ制御によって該中和槽へのｐＨ調整剤（酸又はアルカリ）添加手段からのｐＨ調整剤添加量を制御する中和槽内のｐＨ制御方法において、
前記ポンプが作動しており、前記中和槽のｐＨが目標ｐＨよりも低く、かつそれまで酸を添加している場合のｐＨ制御方法であって、
ＰＩＤ制御による添加指示量が、予め設定した基準値が基準操作量よりも高い場合には、酸添加を継続し、
該基準値よりも低い場合にはアルカリを添加することを特徴とする中和槽内のｐＨ制御方法。
【請求項４】
排水をポンプによって中和槽に流入させ、該中和槽のｐＨを検出し、検出ｐＨが目標ｐＨとなるようにＰＩＤ制御によって該中和槽へのｐＨ調整剤（酸又はアルカリ）添加手段からのｐＨ調整剤添加量を制御する中和槽内のｐＨ制御方法において、
前記ポンプが作動しており、前記中和槽のｐＨが目標ｐＨよりも高く、かつそれまで酸を添加している場合のｐＨ制御方法であって、
ＰＩＤ制御による添加指示量が、予め設定した基準値が基準操作量よりも高い場合及び該基準値よりも低い場合のいずれの場合も、酸添加を継続することを特徴とする中和槽内のｐＨ制御方法。
【請求項５】
請求項１〜４のいずれかにおいて、前記ＰＩＤによる制御は、測定値微分型制御であることを特徴とする中和槽内のｐＨ制御方法。
【請求項６】
請求項１〜５のいずれかにおいて、前記ポンプが停止しているときには、前記中和槽のｐＨによらずポンプ停止前の中和薬剤の添加を継続することを特徴とする中和槽内のｐＨ制御方法。
【請求項７】
請求項６において、前記中和槽に凝集剤水溶液を添加する方法であって、前記ポンプが作動しているときには凝集剤水溶液を添加し、ポンプが停止しているときには凝集剤水溶液の添加を停止することを特徴とする中和槽内のｐＨ制御方法。
【発明の詳細な説明】
【技術分野】
【０００１】
本発明は槽内のｐＨ制御方法に係り、特に、凝集槽の凝集を良好にする為の中和槽のｐＨを制御するのに好適な方法に関する。さらに詳しくは、本発明は排水処理装置の凝集処理内の中和槽のｐＨを中性に制御するのに好適な方法に関する。
【背景技術】
【０００２】
総合排水処理装置では、排水中に含まれる濁質を凝集沈殿処理する。図４は、総合排水処理装置の一例を示すものであり、排水は排水槽１に流入し、ポンプ２によって中和槽３へ送水される。中和槽３では凝集剤を注入し凝集槽で濁質をフロック化する。また、凝集剤の反応を良好に行うため、中和槽のｐＨが中性たとえば６．５±０．５となるように、ｐＨ調整剤として酸（硫酸や塩酸）又はアルカリ（苛性ソーダ等）の添加量が制御される。
【０００３】
中和槽３内の被処理水は凝集槽４に移送され、凝集槽４で凝集助剤を注入し、フロックを成長させた後、凝集沈殿槽５で沈降分離が行われる。凝集剤としては、塩化第二鉄、ポリ硫酸鉄、硫酸バンド、ポリ塩化アルミ、塩化アルミニウムなどが用いられている。これらの凝集剤の水溶液は酸性である。そのため、従来の硫酸、苛性ソーダ添加制御では、硫酸及び苛性ソーダ等のｐＨ調整剤が中和槽のｐＨ変動に応じて注入されることで、ｐＨが大幅に変動する。
【０００４】
例えば酸性排水を苛性ソーダと硫酸によりｐＨ調整を行っている中和槽に凝集剤が添加された場合、排水と凝集剤水溶液のｐＨが酸性であるため、硫酸が注入されたときには、微量の注入でもｐＨが大きく低下する。そのため、その後の苛性ソーダの添加量が増加する。苛性ソーダが多量に添加されることにより、中和槽３内のｐＨが７より大幅に上昇する。そこで、次いで硫酸が添加されるが、ｐＨが７よりも大幅に高いので、硫酸の添加量も非常に多く、中和槽３内のｐＨが７より大幅に低下する。
【０００５】
このようにして、従来の硫酸、苛性ソーダ添加制御では、硫酸及び苛性ソーダの添加量が過大となり、ｐＨが大幅に変動する。その一例を図５に示す。
【０００６】
図５は、中和槽３のｐＨを目標ｐＨ＝６．５に調整する場合の従来の運転実績例を示したものである。
【０００７】
時刻ｔ１で排水ポンプ２が起動し、酸又はアルカリの添加と、凝集剤の薬注が開始する。図５では、起動時の中和槽ｐＨ値がアルカリ性であるため、まず硫酸が注入される。凝集剤注入による酸性化と相乗されることから、中和槽３のｐＨが急速に低下する。ｐＨ＝６．５となった時刻ｔ２で硫酸添加が停止されるが、それまでに添加された硫酸の混合拡散に伴って、その後もｐＨが低下し続けるので、時刻ｔ３で苛性ソーダの注入が開始する。
【０００８】
しかし、流入する排水が酸性であることも相俟って、苛性ソーダを注入開始してもｐＨが殆ど上昇しないので、苛性ソーダの添加量が徐々に増加する（時刻ｔ３〜ｔ４）。時刻ｔ４以降では、注入された硫酸が中和され、苛性ソーダの多量注入が継続することでｐＨが徐々に上昇する。
【０００９】
時刻ｔ５になると、ｐＨが６．５まで上昇してきたので、苛性ソーダの注入は停止するが、注入された苛性ソーダの混合拡散により、その後もｐＨが上昇する。そして、ｐＨが７．５を超えた時刻ｔ６で硫酸の注入が開始される。
【００１０】
硫酸が注入されると、しばらくして急激にｐＨが低下し始める。ｐＨが６．５まで低下してきた時刻ｔ７で硫酸の注入は停止されるが、それまでに注入された硫酸の混合拡散により、その後もｐＨが低下する。そこで、時刻ｔ８で苛性ソーダ注入が開始される。時刻ｔ９になると、苛性ソーダによって中和槽内のｐＨが上昇開始する。
【００１１】
ｔ６〜ｔ７の間に多量に注入された硫酸の過剰分を中和するために、ｔ９〜ｔ１０での期間では、ｔ４〜ｔ５の期間に注入された苛性ソーダよりも、多量の苛性ソーダが注入される。
【００１２】
その後も、ｔ１〜ｔ１０と同様に苛性ソーダ及び硫酸が交互に添加されるが、薬注量が増加傾向となり、ｐＨの変動幅が大きく、ｐＨが安定しない。
【００１３】
なお、上記の説明は酸性排水の例となっている。この理由は、酸性排水は、凝集剤、硫酸、苛性ソーダの添加によりｐＨが大きく変動し易いためである。
【００１４】
すなわち、図５のように、排水が酸性であり、ポンプ起動時の中和槽内のｐＨがアルカリ性である場合、酸性排水に酸性の凝集剤及び硫酸が注入されるため、ｐＨの低下傾向が大きくなり、その後苛性ソーダが多量に添加され、その結果として、その後硫酸が多量に添加される。そして、これが繰り返される結果、上記のようにｐＨが大きく変動する。
【００１５】
排水がアルカリ性であり、ポンプ起動時の中和槽内のｐＨがアルカリ性である場合、アルカリ性の排水に酸性の凝集剤と硫酸が注入されるため、硫酸注入量は多くなるが、ｐＨ変動への影響は小さい。
【００１６】
排水が酸性であり、ポンプ起動時の中和槽内のｐＨが酸性である場合、酸性の排水に酸性の凝集剤が注入されるため、苛性ソーダ注入量は多くなるが、ｐＨ変動への影響は小さい。
【００１７】
排水がアルカリ性であり、ポンプ起動時の中和槽内のｐＨが酸性である場合、苛性ソーダが最初に添加されるが、アルカリ性の排水が酸性の凝集剤で中和されるので、苛性ソーダの注入量は少なく、ｐＨ変動への影響は小さい。
【００１８】
特許文献１には、中和槽のｐＨと廃液量とから中和に必要な中和用薬液量を演算することが記載されている。しかしながら、この方法では、排水が中和槽にほぼ連続的に流入し、ほぼ連続的に流出する場合のｐＨ制御はできない。
【先行技術文献】
【特許文献】
【００１９】
【特許文献１】特開２００６-８４３８６
【発明の概要】
【発明が解決しようとする課題】
【００２０】
本発明は、ｐＨ調整剤の選択と添加量制御を適切かつ容易に行うことができる槽内のｐＨ制御方法を提供することを目的とする。
【課題を解決するための手段】
【００２１】
本発明の槽内のｐＨ制御方法は、排水を中和槽に流入させ、該中和槽のｐＨを検出し、検出ｐＨに基づくＰＩＤ制御によって該中和槽への酸又はアルカリの添加を制御する方法において、中和槽への排水の流入の有無、検出ｐＨが目標ｐＨよりも高いか否か、及び該ＰＩＤ制御の出力操作量が基準操作量よりも低いか否か、に基づいて中和薬剤（酸又はアルカリ）の添加を制御することを特徴とするものである。
【００２２】
前記ＰＩＤによる制御は、測定値微分型制御であることが好ましい。
【００２３】
本発明の一態様では、中和槽への排水の流入の有無は、該中和槽への排水導入用ポンプの作動又は停止であり、ポンプが停止しているときには、中和槽のｐＨによらずポンプ停止前の中和薬剤の添加を継続する。
【００２４】
本発明の一態様では、前記ポンプが作動しているときには凝集剤水溶液を添加し、ポンプが停止しているときには凝集剤水溶液の添加を停止する。
【００２５】
本発明の一態様では、中和槽への排水の流入の有無は、該中和槽への排水導入用のポンプの作動又は停止であり、ポンプが作動しており、前記中和槽のｐＨが目標ｐＨよりも高く、かつそれまでアルカリを添加しており、ＰＩＤ制御の出力操作量が基準操作量よりも高い場合には、アルカリ添加を継続する。
【００２６】
本発明の一態様では、中和槽への排水の流入の有無は、該中和槽への排水導入用のポンプの作動又は停止であり、ポンプが作動しており、前記中和槽のｐＨが目標ｐＨよりも低く、かつそれまでアルカリを添加しており、ＰＩＤ制御の出力操作量が基準操作量よりも高い場合には、アルカリ添加を継続する。
【００２７】
本発明の一態様では、中和槽への排水の流入の有無は、該中和槽への排水導入用のポンプの作動又は停止であり、ポンプが作動しており、前記中和槽のｐＨが目標ｐＨよりも低く、かつそれまで酸を添加しており、ＰＩＤ制御の出力操作量が基準操作量よりも高い場合には、酸添加を継続する。
【００２８】
本発明の一態様では、中和槽への排水の流入の有無は、該中和槽への排水導入用のポンプの作動又は停止であり、ポンプが作動しており、前記中和槽のｐＨが目標ｐＨよりも高く、かつそれまで酸を添加しており、ＰＩＤ制御の出力操作量が基準操作量よりも高い場合には、酸添加を継続する。
【発明の効果】
【００２９】
本発明の槽内のｐＨ制御方法では、中和槽に添加するｐＨ調整剤の選択を、中和槽への排水の流入の有無、検出ｐＨが目標ｐＨよりも高いか否か、及び該ＰＩＤ制御の出力操作量が基準操作量よりも低いか否か、に基づいて決定する。また、好ましくは、排水処理起動時は停止直前の状態を継続する。ｐＨ調整剤の添加量はＰＩＤ制御、好ましくは測定値微分型ＰＩＤ制御される。これにより、ｐＨ調整剤がその種類の選択及び注入量のいずれにおいても適切に制御され、排水処理時の中和槽のｐＨ変動が抑制される。
【００３０】
本発明では、原水のｐＨを検出することはなく、中和槽のｐＨのみを検出しており、ｐＨ計測系の構成が簡易である。
【図面の簡単な説明】
【００３１】
【図１】本発明を示すブロック図である。
【図２】添加量制御を示すタイムチャートである。
【図３】実施例の一例を示すグラフである。
【図４】排水の凝集沈殿装置のフロー図である。
【図５】従来例の一例を示すグラフである。
【発明を実施するための形態】
【００３２】
本発明の好ましい態様について図１〜４を参照して説明する。
【００３３】
図４は、前述の通り、総合排水処理装置の一例であり、排水は排水槽１に流入し、ポンプ２によって中和槽３へ送水される。中和槽３では凝集剤を注入し濁質をフロック化する。また、凝集剤の反応を良好に行うため、硫酸又は苛性ソーダを添加し、中和槽のｐＨを中性たとえば６．５±０．５に調整する。中和槽３内の被処理水は凝集槽４に移送され、凝集槽４で凝集助剤を注入し、フロックを成長させた後、凝集沈殿槽５で沈降分離が行われる。凝集剤としては、塩化第二鉄、ポリ硫酸鉄、硫酸バンド、ポリ塩化アルミ、塩化アルミニウムなどが用いられている。この凝集剤の水溶液は酸性である。
【００３４】
中和槽３には苛性ソーダの添加手段１１、硫酸の添加手段１２及び凝集剤の添加手段１３からそれぞれ苛性ソーダ水溶液、硫酸水溶液及び凝集剤水溶液が添加可能とされている。中和槽３にはｐＨ計１４が設けられ、その検出ｐＨが制御器１５に出力される。制御器１５は添加手段１１，１２に設けられた薬注弁１１ａ，１２ａを開閉して添加量を制御するためのＰＩＤ制御器、添加薬剤（硫酸又は苛性ソーダ）の決定回路及び弁１１ａ，１２ａの各駆動回路が設置されている。
【００３５】
この実施の形態では、図２のように、１サイクルにおける弁１１ａ，１２ａを開とする時間比（デューティ比）を変えることにより、苛性ソーダ及び硫酸の添加量が制御される。この実施の形態では、１サイクルを３０ｓｅｃとしているが、これに限定されない。
【００３６】
中和槽３及び凝集槽４にはそれぞれ撹拌機１６，１７が設けられている。凝集沈殿槽５にはレーキ１８が設けられている。
【００３７】
図１は、中和槽３に対し苛性ソーダと硫酸とのいずれを添加するかを決定するための薬剤決定回路のブロック図を示している。
【００３８】
前記ポンプ２は、排水槽１内のレベルセンサ（図示略）に連動するポンプ駆動回路によって作動するよう構成されており、排水槽１内の水位が所定レベル以上である場合に作動し、規定レベル以下まで低下すると停止する。ポンプ２が作動状態にあるか否かを示すポンプ動作信号ａがＡＮＤ回路２１，２２にそれぞれ入力される。
【００３９】
ＡＮＤ回路２１には、ｐＨ計１４の検出ｐＨが６．５超であるか否かを示す信号ｂと、苛性ソーダ添加量が最大添加量（図２におけるデューティ比＝１）の５％未満であるか否かを示す信号ｃとがさらに入力される。
【００４０】
ＡＮＤ回路２２には、ｐＨ計１４の検出ｐＨが６．５未満であるか否かを示す信号ｄと、硫酸添加量が最大添加量（デューティ比＝１）の５％未満であるか否かを示す信号ｅとがさらに入力される。なお、上記の基準値「５％未満」は一例であり、本発明はこれに限定されない。この基準値は、１％〜５％の間から選定されることが好ましい。
【００４１】
ＡＮＤ回路２１の出力ｆはＲＳ型フリップフロップ２３のＳ端子に入力され、ＡＮＤ回路２２の出力ｇはフリップフロップ２３のＲ端子に入力される。
【００４２】
フリップフロップ２３の出力Ｑは、硫酸添加信号ｈ＝１又は非添加信号ｈ＝０として弁１２ａの駆動回路に出力される。
【００４３】
出力Ｑは、インバータ２４で反転され、苛性ソーダ添加信号ｉ＝１又は非添加信号ｉ＝０として弁１１ａの駆動回路に出力される。なお、インバータ２４を用いる代りに、フリップフロップ２３の反転出力を苛性ソーダ添加信号としてもよい。
【００４４】
従って、ポンプ２が作動し（ａ＝１）、中和槽３内のｐＨ＞６．５であり（ｂ＝１）、アルカリ添加ＰＤＩ操作量＜５％（ｃ＝１）のときにＡＮＤ回路２１出力ｆ＝Ｓ＝１となる。この場合、ｐＨ＜６．５ではないので、ｄ＝０となり、ＡＮＤ回路２２出力ｇ＝Ｒ＝０となり、この結果、フリップフロップ２３ではＳ＝１、Ｒ＝０によりＱ＝１となり、硫酸添加信号（ｈ＝１）が出力される。
【００４５】
ポンプ２が作動し（ａ＝１）、中和槽３内のｐＨ＜６．５であり（ｄ＝１、ｂ＝０）、酸添加ＰＤＩ操作量＜５％（ｅ＝１）のときにＡＮＤ回路２２出力ｇ＝Ｒ＝１となる。この場合、ｐＨ＜６．５であり、ｂ＝０であるので、ＡＮＤ回路２１出力ｆ＝Ｓ＝０となり、この結果、フリップフロップ２３ではＳ＝０、Ｒ＝１によりＱ＝０となり、苛性ソーダ添加信号（ｉ＝１）が出力される。
【００４６】
ポンプ２が作動し（ａ＝１）、中和槽３内のｐＨ＞６．５であり（ｂ＝１）、アルカリ添加ＰＤＩ操作量＞５％（ｃ＝０）のときには、ＡＮＤ回路２１出力ｆ＝Ｓ＝０となる。この場合、ｐＨ＜６．５ではないので、ｄ＝０となり、ＡＮＤ回路２２出力ｇ＝Ｒ＝０となり、この結果、フリップフロップ２３ではＳ＝０、Ｒ＝０により苛性ソーダ添加が保持される。
【００４７】
ポンプ２が作動し（ａ＝１）、中和槽３内のｐＨ＜６．５であり（ｄ＝１、ｂ＝０）、酸添加ＰＤＩ操作量＞５％（ｅ＝０）のときには、ＡＮＤ回路２２出力ｇ＝Ｒ＝０となる。この場合、ｐＨ＜６．５であり、ｂ＝０であるので、ＡＮＤ回路２１出力ｆ＝Ｓ＝０となり、この結果、フリップフロップ２３ではＳ＝０、Ｒ＝０により酸添加が保持される。
【００４８】
ポンプ２が停止している場合（ａ＝０）には、ｆ＝Ｓ＝０、ｇ＝Ｒ＝０であるので、それまで苛性ソーダを添加しているときには苛性ソーダの添加が保持され、それまで酸を添加しているときには酸の添加が保持される。
【００４９】
制御器１５に搭載されたＰＩＤ制御器には、ｐＨ計１４の検出ｐＨ値が入力されており、ＰＩＤ制御器は入力されるｐＨ値に基づいて、中和槽３内のｐＨが目標値（この場合、ｐＨ＝６．５）となるように操作量（硫酸又は苛性ソーダの添加量。具体的には、最大添加量に対する比率。）を決定し、操作量を弁１１ａ，１２ａの駆動回路に出力する。弁１１ａ，１２ａの駆動回路は、操作量信号と、図１の薬剤決定回路からの信号（ｈ＝１又はｉ＝１）とに基づいて、選択された中和薬剤（硫酸又は苛性ソーダ）をＰＩＤ制御により決定された添加量にて中和槽３に添加する。
【００５０】
操作量と弁開デューティ比とは比例しており、例えば、操作量が１００％の場合、弁駆動回路は図２のデューティ比を１００％（弁１１ａ又は１２ａを連続開）とし、操作量が５０％の場合、デューティ比を５０％（弁１１ａ又は１２ａを１５ｓｅｃ開、１５ｓｅｃ閉のサイクルにて開閉）とする。
【００５１】
この実施の形態では、ＰＩＤ制御器は、測定値微分型制御を行う。測定値微分型制御は、ＰＩＤ制御の微分演算を測定値の変化量に対して行い、偏差に対しては演算を行わない方法のため、設定値を大きく変化させた場合に発生する過剰応答がない。プロセスの応答に必要な微分係数（大きな値）が設定可能なため、偏差に対して微分を行う方法（従来の微分演算）に比して応答性が改善される。
【００５２】
図４の総合排水処理装置における酸性排水に対する中和薬剤添加制御の一例について図３を参照して説明する。
【００５３】
時刻ｔ１１以前では、ポンプ２は停止（ａ＝０）しており、ｆ＝Ｓ＝０、ｇ＝Ｒ＝０となり、フリップフロップ出力Ｑはそれまでの状態を保持する。前回のポンプ２運転最末期におけるポンプ２の停止に伴い、凝集剤の注入も停止している。なお、ポンプ２が停止しているときには、それまで添加していた酸又はアルカリの添加量を基準添加量（この場合ＰＩＤ操作量５％）未満としてもよい。
【００５４】
この例では、ポンプ２停止以前では苛性ソーダ添加となっていたので、そのまま苛性ソーダが添加されている。中和槽３内はｐＨ＝約６．５となっている。また、このときのＰＩＤ制御器の操作量は３５％程度となっていた。
【００５５】
時刻ｔ１１にポンプ２が起動する。時刻ｔ１１よりも後では、ポンプ２起動に対応して苛性ソーダの添加のＰＩＤ制御が開始する。この例では、時刻ｔ１１では、前回制御の最終値を出力することによって操作量を急激に増大させ、その後、Ｐ，Ｉ動作が加わることによって操作量が徐々に低下する。
【００５６】
ｔ１１直後において、操作量が約４５％であり５％超であるのでｃ＝０となり、ｆ＝Ｓ＝０となる。また、ｐＨ＞６．５であり、ｄ＝０であるので、ｇ＝Ｒ＝０となり、苛性ソーダ添加が保持される。
【００５７】
ｔ１１〜ｔ１３においても苛性ソーダ操作量５％超、ｐＨ＞６．５であり、ｃ＝０、ｄ＝０によりＳ＝Ｒ＝０であり、苛性ソーダ添加が維持される。苛性ソーダの添加継続により、時刻ｔ１１以降ｐＨは上昇するが、苛性ソーダの注入制御を継続する。この間、ＰＩＤ制御により、苛性ソーダ添加量が徐々に減少し、酸性の排水の流入及び酸性の凝集剤添加の影響により、ｔ１２付近〜ｔ１３にかけてｐＨは図３のように低下する。
【００５８】
ＰＩＤ制御による苛性ソーダ注入量低下と、酸性排水流入等により、時刻ｔ１３でｐＨが設定値（６．５）を下回る。そこで、苛性ソーダ注入量が増加し、ｐＨが低下から上昇に転じ、６．５まで上昇する（ｔ１３〜ｔ１４）。
【００５９】
ｔ１３〜ｔ１４では、ｐＨ＜６．５であるから、ｂ＝０、ｄ＝１であり、ｂ＝０によりｆ＝Ｓ＝０である。また、ｄ＝１であると共に、硫酸操作量＜５％である（即ち硫酸操作量≧５％ではない）のでｅ＝１であり、ｇ＝Ｒ＝１であり、Ｑ＝０となり、ｉ＝１（苛性ソーダ添加）信号が出力される。
【００６０】
以下、同様にｔ１４〜ｔ１６では、ｔ１１〜ｔ１３と同様に苛性ソーダ添加が保持される。また、ｔ１６〜ｔ１８では、ｔ１３〜ｔ１４と同様に苛性ソーダ添加信号（ｉ＝１）が出力される。このように、ｔ１１以降、常に苛性ソーダが添加され続けることになる。そして、苛性ソーダの添加量は、ＰＩＤ制御によって図３のＰＩＤ操作量（％）の通り制御される。このような制御を継続することで、ｐＨ＝６．５となるように苛性ソーダ注入量が制御されるため、苛性ソーダと硫酸との交互注入動作を繰り返すことなくｐＨは６．５に収束し、安定状態を継続する。
【００６１】
上記実施形態は、中和槽３への排水の流入の有無は、該中和槽３への排水導入用ポンプ２の作動又は停止であり、ポンプ２が停止しているとき（０〜ｔ１１）には、ポンプ停止前の中和薬剤の添加を継続する、という本発明の一態様を示している。
【００６２】
上記実施形態は、中和槽３に凝集剤水溶液を添加する方法であって、前記ポンプ２が作動しているときには凝集剤水溶液を添加し、ポンプ２が停止しているときには凝集剤水溶液の添加を停止する、という本発明の一態様を示している。
【００６３】
上記実施形態は、中和槽３への排水の流入の有無は、該中和槽３への排水導入用のポンプ２の作動又は停止であり、ポンプ２が作動しており、前記中和槽３のｐＨが目標ｐＨ６．５よりも高く、かつそれまでアルカリを添加しており、ＰＩＤ制御の出力操作量が基準操作量５％よりも高い場合（ｔ１１〜ｔ１３、ｔ１４〜ｔ１６）には、アルカリ添加を継続する、という本発明の一態様を示している。
【００６４】
上記実施形態は、中和槽３への排水の流入の有無は、該中和槽３への排水導入用のポンプ２の作動又は停止であり、ポンプ２が作動しており、前記中和槽３のｐＨが目標ｐＨ６．５よりも低く、かつそれまでアルカリを添加している場合（ｔ１３〜ｔ１４、ｔ１６〜ｔ１８）には、アルカリ添加を継続する、という本発明の一態様を示している。
【００６５】
上記の説明は、酸性排水であり、苛性ソーダが添加される場合であるが、アルカリ性排水に対し酸を添加する場合も同様の制御が行われる。
【００６６】
即ち、本発明によるアルカリ性排水中和処理の一態様では、中和槽３への排水の流入の有無は、該中和槽３への排水導入用のポンプ２の作動又は停止であり、ポンプ２が作動しており、前記中和槽３のｐＨが目標ｐＨ６．５よりも低く、かつそれまで酸を添加しており、ＰＩＤ制御の出力操作量が基準操作量５％よりも高い場合には、酸添加を継続する。
【００６７】
また、本発明によるアルカリ性排水中和処理の一態様では、中和槽への排水の流入の有無は、該中和槽への排水導入用のポンプの作動又は停止であり、ポンプが作動しており、前記中和槽のｐＨが目標ｐＨよりも高く、かつそれまで酸を添加している場合には、酸添加を継続する。
【００６８】
排水種が途中で切り替わり、例えばそれまで酸性であった排水がアルカリ性になることがある。火力発電所等の総合排水処理装置では、このような事態が生じることがある。
【００６９】
図３のように制御されることによりＰＩＤの苛性ソーダ添加操作量が約４０％でほぼ収束している状態にあるときに、酸性排水がアルカリ性に切り替わると、中和槽３内のｐＨが急激に上昇してくる。そのため、アルカリ添加のＰＩＤ操作量は５％未満の低い値となり、信号ｃ＝１となる。
【００７０】
この状態では、ａ＝１（ポンプ作動）、ｂ＝１（ｐＨ＞６．５）、ｃ＝１であるから、ｆ＝Ｓ＝１となる。一方、ｐＨ＞６．５（ｄ＝０）よりｇ＝Ｒ＝０であるので、Ｑ＝１となり、硫酸添加信号（ｈ＝１）が出力される。これにより、添加中和薬剤が苛性ソーダから硫酸に切り替わる。その後の添加制御は上記のアルカリ性排水中和処理のように行われる。
【００７１】
排水種がアルカリ性から酸性に切り替わる場合も同様である。
【００７２】
上記ｐＨ制御の特性として、従来の様に無薬注範囲がなく、中和槽ｐＨに応じて中和薬剤の連続薬注を行うため、常に微量の硫酸又は苛性ソーダが注入されることで、サイクリックなｐＨ変動が発生する可能性がある。
【００７３】
しかしながら、ＰＩＤ制御にて薬注量をコントロールしていることから、ｐＨ値は発散しない。また、測定値微分型のＰＩＤ制御であり、ｐＨ値の変化により操作量が増加・減少するため、ｐＨ制御の行き過ぎが防止される。
【００７４】
上記制御により、ｐＨ２．７〜１１．０の範囲であれば、設定値に対して±０．５以内でｐＨを制御することができる。
【符号の説明】
【００７５】
１  排水槽
３  中和槽
４  凝集槽
５  凝集沈殿槽
【図１】
0006743409.tif 000002
【図２】
0006743409.tif 000003
【図３】
0006743409.tif 000004
【図４】
0006743409.tif 000005
【図５】
0006743409.tif 000006